(57)【特許請求の範囲】
【請求項１】
13Ｃ−ＭＲ造影、13Ｃ−ＭＲ分光法及び／又は13Ｃ−ＭＲ分光造影による炎症又は感染の検出に用いられる過分極13Ｃ−ピルビン酸塩を含む造影媒体であって、13Ｃ−乳酸塩からの高い13Ｃ−信号強度又は13Ｃ−乳酸塩の生成速度の増大によって炎症又は感染が検出される、造影媒体。
【請求項２】
当該造影媒体がヒト又はヒト以外の動物の身体に投与され、前記ヒト又はヒト以外の動物の身体における炎症又は感染を検出するために前記13Ｃ−ＭＲ造影、13Ｃ−ＭＲ分光法及び／又は13Ｃ−ＭＲ分光造影が実施される、請求項１記載の造影媒体。
【請求項３】
当該造影媒体が細胞培養物又はエクスビボ組織に添加され、前記細胞培養物又はエクスビボ組織における炎症又は感染を検出するために前記13Ｃ−ＭＲ造影及び／又は13Ｃ−ＭＲ分光法が実施される、請求項１記載の造影媒体。
【請求項４】
前記検出に際して13Ｃ−ピルビン酸塩及びその代謝産物である13Ｃ−乳酸塩からの13Ｃ−信号強度が経時的に追跡される、請求項１乃至請求項３のいずれか１項記載の造影媒体。
【請求項５】
13Ｃ−ピルビン酸塩及び13Ｃ−乳酸塩からの13Ｃ−信号強度が、当該造影媒体の投与／添加の時点から約１分間又はＴ１緩和を経由する信号の減衰によって13Ｃ−ＭＲ信号が検出不能になるまで追跡される、請求項４記載の造影媒体。
【請求項６】
前記造影媒体の投与／添加に先立って前記ヒト又はヒト以外の動物の身体に乳酸塩が投与される、請求項２記載の造影媒体。
【請求項７】
前記造影媒体の添加に先立って前記細胞培養物又はエクスビボ組織に乳酸塩が添加される、請求項３記載の造影媒体。
【請求項８】
過分極13Ｃ−ピルビン酸塩が13Ｃ−ピルビン酸又は13Ｃ−ピルビン酸塩の動的核分極によって得られたものである、請求項１乃至請求項７のいずれか１項記載の造影媒体。
【請求項９】
13Ｃ−乳酸塩からの高い13Ｃ−信号強度又は13Ｃ−乳酸塩の生成速度の増大によって示される13Ｃ−ピルビン酸塩から13Ｃ−乳酸塩への代謝の亢進に基づいて炎症又は感染が検出される、請求項１乃至請求項８のいずれか１項記載の造影媒体。
【請求項１０】
関節リウマチ、若年性特発性関節炎、全身性紅斑性狼瘡、強皮症、皮膚筋炎、心筋症、クローン病、多発性硬化症、アテローム性動脈硬化症、変形性関節症、腱炎、滑液包炎、痛風性関節炎、慢性閉塞性肺疾患（ＣＯＰＤ）、喘息及び慢性気管支炎からなる群から選択される炎症の検出に用いられる、請求項１乃至請求項９のいずれか１項記載の造影媒体。
【発明の詳細な説明】
【技術分野】
【０００１】
本発明は、過分極13Ｃ−物質を含む造影媒体を用いた炎症又は感染の炭素−１３（13Ｃ）磁気共鳴（ＭＲ）造影又は分光の方法に関する。本発明は、炎症又は感染を検出又は監視するための、ＭＲ造影によって次に造影するための過分極された炭素−１３標識分子の応用に関する。
【背景技術】
【０００２】
炎症は体組織に損傷を与える有害な因子に対する生物学的反応である。炎症は宿主の防御と組織傷害の間のバランスを取る作用である。炎症反応の鍵となるのは免疫系と血管組織である。免疫系は白血球と、生体が感染と戦うこと、有害な刺激を除去すること、及び損傷組織を修復することを助ける分子とからなっている。炎症過程の間、免疫系及び増大した血流は病原体を排除し、傷害を受けた組織を修復することを助ける。
【０００３】
炎症には、感染又は傷害を受けた部位に栄養分及び免疫系の追加的な成分を搬入するために新たな血管を動員することが含まれる。炎症はしばしば外因性病原体（例えば細菌、ウイルス、真菌、寄生虫、プリオン及びウイロイド）の結果であるが、炎症反応の他の起因因子としては自己抗原、外傷、アレルゲン、及び刺激物がある。炎症がなければ創傷及び感染は治癒せず、組織の進行性破壊は生命体の死につながるであろう。炎症はしばしば、潜在的な疾患が存在し、生体がその疾患を排除しようとしていることを知らせている。感染は外来種による宿主生命体への定着であり、これはしばしば臨床的に明白な疾患をもたらす。外来種は通常、細菌のコロニー、真菌、ウイルス、寄生虫、プリオン、又はウイロイド等の顕微鏡的病原体である。炎症は感染を排除するために宿主生命体によって搭載されている機構である。炎症はまた自己抗原、損傷組織（例えば外傷）、アレルゲン、又は刺激物を排除するために起こることもある。
【０００４】
しかし、炎症は調節を誤った場合又は制御なく放置された場合には、宿主に問題を生じることもあり、その中には自己免疫疾患、アレルギー、アテローム性動脈硬化症、炎症性及び退行性関節炎、喘息、慢性気管支炎、慢性閉塞性肺疾患（ＣＯＰＤ）、及び多発性硬化症が含まれる。炎症が正常には生体によって厳しく規制されているのはこのためである。炎症は急性又は慢性のいずれかに分類することができる。急性炎症は有害な刺激に対する生体の最初の反応であり、血液から傷害組織への血漿及び白血球の移動の増大によって達成される。生化学的事象のカスケードが伝播し、局所血管系、免疫系、及び傷害組織内の種々の細胞が関与する炎症反応を成熟させる。慢性炎症として知られている長期的な炎症は、炎症の部位に存在する細胞の型を進行的に変化させ、炎症プロセスからの組織の崩壊及び治癒が同時に起こることによって特徴付けられる。
【０００５】
炎症疾患及び感染疾患は分子レベル及び細胞レベルでの同様の機構を共有している。これらの疾患は免疫系の活性化をもたらし、臨床的に検出及び監視するのが困難なことが多い疾患プロセスである。現在のところ、炎症及び感染の造影による検出のための選択は限られており、治療に対するこれらの疾患の反応を検出し、監視するための良好な臨床的試験は存在しない。臨床医は、患者がどのように感じているかという主観的な方法、血液検査（白血球数、ＣＲＰ等）等の二次的兆候、非特異的核医学造影、又は解剖学的造影（従来のＭＲＩ、超音波、コンピュータ断層撮影、及びＸ線写真）に基づく疾患の晩期解剖学的変化に頼らざるを得ない。例として、関節リウマチは老年人口の約１％が罹患するありふれた疾患であり、現在関節リウマチを検出し、又は監視するための良好な非侵襲的検査は存在しない。臨床医にはしばしば、疾患を診断するため及び患者がどのように治療に反応しているかを決定するために、主観的な方法しか残されていない。したがって、ヒト又はヒト以外の動物の身体においてインビボで非侵襲的に炎症及び感染を検出することには興味がある。
【先行技術文献】
【特許文献】
【０００６】
【特許文献１】国際公開第２００９／１３３１６９号
【発明の概要】
【発明が解決しようとする課題】
【０００７】
ＭＲ造影（ＭＲＩ）、ＭＲ分光法（ＭＲＳ）及びＭＲ分光造影（ＭＲＳＩ）等のＭＲ検出は炎症及び感染を検出するための価値あるツールとなる可能性があり、これらのツールは非侵襲的に、また患者及び医療関係者をＸ線等の有害な可能性がある放射線に曝すことなく患者の体及びその部分の画像を得ることを可能にするので、医師たちにとって特に魅力的なものになってきた。優れた軟組織コントラスト及び良好な空間的及び時間的解像度を備えたその高品質な画像のため、ＭＲＩは軟組織及び臓器の好ましい造影手法である。
【課題を解決するための手段】
【０００８】
ところで、過分極13Ｃ−物質が13Ｃ−ＭＲＩ、13Ｃ−ＭＲＳ、又は13Ｃ−ＭＲＳＩを用いたヒト又はヒト以外の動物の身体における炎症及び感染を検出するための薬剤として用い得るということが見出された。
【０００９】
したがって、第１の態様において、本発明は過分極13−Ｃ物質を含む造影媒体を用いて炎症又は感染を検出するための13Ｃ−ＭＲ造影及び／又は13Ｃ−ＭＲ分光法及び／又は13Ｃ−ＭＲ分光造影の方法を提供する。そのような物質は、１０秒より長く、好ましくは３０秒より長く、さらにより好ましくは６０秒より長い縦緩和時間定数（Ｔ1）を有する核を含むはずである。そのような、いわゆる「高Ｔ1薬剤」は、例えば国際公開第９９／３５５０８号に記載されている。或いは、候補物質のＴ1値は文献で見出されるか、候補物質のＮＭＲスペクトル、例えば13Ｃ−標識された候補物質のＴ1を決定するための13Ｃ−ＮＭＲスペクトルを取得することによって決定し得る。
【発明を実施するための形態】
【００１０】
好ましい過分極13Ｃ−物質はヒト及びヒト以外の動物の身体における代謝プロセスにおいて役割を果たす生体分子である。したがって、特に好ましい物質は内因性化合物、より好ましくはヒト又はヒト以外の動物の身体における代謝プロセスにおいて役割を果たす内因性化合物である。特に好ましい物質はアミノ酸（プロトン化又は脱プロトン化形における）、好ましくはアラニン、グリシン、グルタミン、グルタミン酸、システイン、アスパラギン及びアスパラギン酸、酢酸塩、ピルビン酸、ピルビン酸塩、シュウ酸塩、リンゴ酸塩、フマル酸塩、乳酸塩、乳酸、クエン酸塩、重炭酸塩、マロン酸塩、コハク酸塩、オキサロ酢酸塩、α−ケトグルタル酸塩、３−ヒドロキシ酪酸塩、イソクエン酸塩及び尿素から選択される。
【００１１】
ピルビン酸塩は比較的高い濃度においてさえも極めて良好に人体に認容される内因性化合物である。クエン酸サイクルにおける前駆体として、ピルビン酸塩は人体内で重要な代謝的役割を果たす。ピルビン酸は種々の化合物に変換される。そのトランスアミノ化は酸化的脱カルボキシル化を経てアラニンを生じ、ピルビン酸塩はアセチル−ＣｏＡ及び二酸化炭素（これはさらに重炭酸塩に変換される）に変換され、ピルビン酸塩の還元は乳酸塩及びそのオキサロ酢酸塩におけるカルボキシル化をもたらす。
【００１２】
さらに、過分極13Ｃ−ピルビン酸塩の、その代謝産物である過分極13Ｃ−乳酸塩、過分極13Ｃ−重炭酸塩（13Ｃ1−ピルビン酸塩、13Ｃ1,2−ピルビン酸塩又は13Ｃ1,2,3−ピルビン酸塩の場合のみ）及び過分極13Ｃ−アラニンへの代謝的変換は、ＭＲを用いて人体内の代謝プロセスを研究するために用いることができる。13Ｃ1−ピルビン酸塩はヒト全血中、３７℃で約４２ｓのＴ1緩和を有するが、過分極13Ｃ−ピルビン酸塩の過分極13Ｃ−乳酸塩、過分極13Ｃ−重炭酸塩及び過分極13Ｃ−アラニンへの変換は充分に速く、13Ｃ−ピルビン酸塩ペアレント化合物及びその代謝産物からの信号の検出は可能であることが見出された。アラニン、重炭酸塩及び乳酸塩の量は検査する組織の代謝状態に依存する。過分極13Ｃ−乳酸塩、過分極13Ｃ−重炭酸塩及び過分極13Ｃ−アラニンのＭＲ信号強度はこれらの化合物の量及び検出の時に残っていた分極の程度に関連し、したがって過分極13Ｃ−ピルビン酸塩の過分極13Ｃ−乳酸塩、過分極13Ｃ−重炭酸塩及び過分極13Ｃ−アラニンへの変換を監視することによって、非侵襲的ＭＲＩ、ＭＲＳ、又はＭＲＳＩを用いたインビボでのヒト又はヒト以外の動物の身体における代謝プロセスの研究が可能である。
【００１３】
種々のピルビン酸塩代謝産物から生じるＭＲ信号の振幅は組織型によって変動することが見出された。アラニン、乳酸塩、重炭酸塩及びピルビン酸塩によって生じる独特の代謝ピークパターンは、検査する組織の代謝状態を表わす指紋として用いることができ、それにより健常組織と非健常組織との間の区別が可能になる。腫瘍造影のための過分極13Ｃ−ピルビン酸塩の使用（腫瘍組織が高い代謝活性を示す）は国際公開第２００６／０１１８１０号に詳しく記載されている。さらに、心臓造影のための過分極13Ｃ−ピルビン酸塩の使用は国際公開第２００６／０５４９０３号に記載されている。
【００１４】
このように、好ましい実施形態では本発明は過分極13Ｃ−ピルビン酸塩を含む造影媒体を用いて炎症又は感染を検出するための13Ｃ−ＭＲ造影及び／又は13Ｃ−ＭＲ分光法及び／又は13Ｃ−ＭＲ分光造影の方法を提供する。
【００１５】
本発明は、どのようにして炎症又は感染の部位を検出するかという課題を解決する。これは、診断及び検出することが困難な潜在的感染に特に重要である。本発明の方法によって疾患領域の解剖学的位置が同定される。さらに、本発明の方法によって炎症又は感染の部位を定量化することができ、疾患活性の代謝プロセスに関する情報を提供することができる。したがって、本方法は解剖学的造影に加えて代謝プロセスを特徴付けることができるという利益を含んでいる。分子プロセスの変化を検出することは、疾患を解剖学的に記述することよりも感度及び特異性が高い可能性がある。本発明の方法で用いる過分極炭素−１３ＭＲＳＩは、分子プロセスに対する感度を劇的に増大させる。本発明の主観的且つ定量的な造影方法によって疾患をより早く検出できる可能性があり、より良く治療に合わせられる可能性がある。これは薬剤の選択が困難で疾患の進行が監視困難な、喘息、慢性気管支炎、ＣＯＰＤ、及び多発性硬化症等の炎症要素を有する疾患の治療において特に重要であり得る。さらに、本発明によって薬剤の開発を加速することを助けられる可能性もある。というのは、本発明の非侵襲的な方法が疾患活動性を測定するために利用可能である場合には、より少ない対象者数及びより短い時間しか必要としないからである。
【００１６】
当技術の応用として、本発明者らは13Ｃ−ピルビン酸塩が炎症を検出するために用い得ることを示した。しかし、過分極し得る同位元素を用いて作成されるいかなる物質も、潜在的には炎症又は感染を検出又は監視するための候補となり得る。過分極ＭＲＩ手法を用いて炎症又は感染を検出するための候補である他の物質としては、酸素、窒素、キセノン、ヘリウム、及びフッ素の同位元素を含む物質が挙げられる。
【００１７】
用語「13Ｃ−ピルビン酸塩」は13Ｃ−ピルビン酸の塩を意味する。以下において用語ピルビン酸塩、13Ｃ−ピルビン酸塩及び13Ｃ1−ピルビン酸塩は互換的に用いられ、全て13Ｃ1−ピルビン酸塩を意味する。同様に用語ピルビン酸、13Ｃ−ピルビン酸及び13Ｃ1−ピルビン酸は互換的に用いられ、全て13Ｃ1−ピルビン酸を意味する。さらに、用語乳酸塩、13Ｃ−乳酸塩及び13Ｃ1−乳酸塩は互換的に用いられ、さらに特定しない限り、全て13Ｃ1−乳酸塩を意味する。
【００１８】
用語「過分極」及び「分極」はこれ以降、互換的に用いられ、０．１％を超え、より好ましくは１％を超え、最も好ましくは１０％を超える核分極レベルを意味する。
【００１９】
分極レベルは例えば固体過分極13Ｃ−ピルビン酸塩、例えば13Ｃ−ピルビン酸塩の動的核分極（ＤＮＰ）によって得られる固体過分極13Ｃ−ピルビン酸塩における固体状態13Ｃ−ＮＭＲの測定によって決定し得る。固体状態13Ｃ−ＮＭＲ測定は、好ましくは低いフリップ角を用いた単純パルス獲得ＮＭＲシーケンスからなる。ＮＭＲスペクトルにおける過分極13Ｃ−ピルビン酸塩の信号強度を分極プロセスの前に取得したＮＭＲスペクトルにおける13Ｃ−ピルビン酸塩の信号強度と比較する。次いで分極前後の信号強度の比から分極レベルを計算する。
【００２０】
同様にして、溶解した過分極13Ｃ−ピルビン酸塩の分極レベルを液体状態ＮＭＲ測定によって決定することができる。ここでも溶解した過分極13Ｃ−ピルビン酸塩の信号強度を分極前の溶解した13Ｃ−ピルビン酸塩の信号強度を比較する。次いで分極前後の13Ｃ−ピルビン酸塩の信号強度の比から分極レベルを計算する。
【００２１】
用語「造影媒体」は、ＭＲ活性剤としての過分極13Ｃ−ピルビン酸塩等の過分極13Ｃ−物質を含むが、これに限らない液体組成物を意味する。本発明による造影媒体は、ＭＲ造影における造影媒体として、又はＭＲ分光法及びＭＲ分光造影におけるＭＲ分光剤として用い得る。
【００２２】
本発明の方法による造影媒体は、インビボＭＲ造影、分光法及び／又は分光造影、即ち生きたヒト又はヒト以外の動物について実施されるＭＲ造影、分光法及び／又は分光造影のための造影媒体として用い得る。さらに、本発明の方法による造影媒体は、インビトロＭＲ造影、分光法及び／又は分光造影のため、例えば細胞培養物又はエクスビボ組織において炎症又は感染を検出及び監視するための造影媒体として用い得る。細胞培養物は、例えば血液、尿又は唾液等のヒト又はヒト以外の動物の身体から得られる試料から得た細胞から誘導し得る。一方エクスビボ組織は生検又は手術から得られる。
【００２３】
本発明の方法で用いる過分極13Ｃ−ピルビン酸塩の同位体濃縮は、好ましくは７５％以上、より好ましくは８０％以上、特に好ましくは９０％以上であり、９０％を超える同位体濃縮が最も好ましい。理想的には、濃縮は１００％である。本発明の方法で用いる13Ｃ−ピルビン酸塩は、Ｃ１位（13Ｃ1−ピルビン酸塩）、Ｃ２位（13Ｃ2−ピルビン酸塩）、Ｃ３位（13Ｃ3−ピルビン酸塩）、Ｃ１位及びＣ２位（13Ｃ1,2−ピルビン酸塩う）、Ｃ１位及びＣ３位（13Ｃ1,3−ピルビン酸塩）、Ｃ２位及びＣ３位（13Ｃ2,3−ピルビン酸塩）、又はＣ１位、Ｃ２位及びＣ３位（13Ｃ1,2,3−ピルビン酸塩）で同位体濃縮し得る。Ｃ１位での同位体濃縮が好ましい。13Ｃ1−ピルビン酸塩は、ヒト全血中、３７℃で、他のＣ位で同位体濃縮された13Ｃ−ピルビン酸塩よりも高いＴ1緩和（約４２ｓ）を有するからである。
【００２４】
ＮＭＲ活性13Ｃ−核の過分極は、例えば参照により本明細書に組み込まれる国際公開第９８／３０９１８号、同第９９／２４０８０号及び同第９９／３５５０８号に記載された種々の方法によって実施することができ、過分極の方法は貴ガスからの分極転移、「ブルートフォース」、スピン凍結、パラ水素法及び動的核分極（ＤＮＰ）である。
【００２５】
過分極13Ｃ−ピルビン酸塩を得るには、13Ｃ−ピルビン酸塩を直接分極するか、13Ｃ−ピルビン酸を分極し、分極した13Ｃ−ピルビン酸を例えば塩基で中和して分極13Ｃ−ピルビン酸塩に変換することのいずれかが好ましい。
【００２６】
過分極13Ｃ−ピルビン酸塩を得るための１つの適当な方法は過分極貴ガスからの分極転移であり、これは国際公開第９８／３０９１８号に記載されている。ノンゼロ核スピンを有する貴ガスは、円偏光を用いることによって過分極することができる。過分極貴ガス、好ましくはＨｅ又はＸｅ、又はそのようなガスの混合物は、13Ｃ−核の過分極に効果を与えるために用い得る。過分極ガスは気相でもよく、液体／溶媒に溶解してもよく、又は過分極ガスそれ自体が溶媒として働いてもよい。或いは、冷却された固体表面上にガスを凝縮させてこの形態で用いてもよく、昇華させてもよい。
【００２７】
過分極ガスを13Ｃ−ピルビン酸塩又は13Ｃ−ピルビン酸と緊密に混合することが好ましい。したがって、室温で液体である13Ｃ−ピルビン酸を分極させる場合には、過分極ガスは好ましくは液体／溶媒に溶解するか、溶媒として働く。13Ｃピルビン酸塩を分極させる場合には、過分極ガスは好ましくは液体／溶媒に溶解し、これはまたピルビン酸塩を溶解させる。
【００２８】
過分極13Ｃ−ピルビン酸塩を得るための別の適当な方法は、極低温及び高磁場における熱力学的平衡によって分極を13Ｃ−核に与えることである。ＮＭＲ分光計の操作磁場及び温度に比べて、非常に高い磁場及び非常に低い温度を用いることによって、過分極がもたらされる（ブルートフォース）。用いる磁場強度はできるだけ高く、適切には１Ｔより高く、好ましくは５Ｔより高く、より好ましくは１５Ｔ以上、特に好ましくは２０Ｔ以上とする。温度は極めて低く、例えば４．２Ｋ以下、好ましくは１．５Ｋ以下、より好ましくは１．０Ｋ以下、特に好ましくは１００ｍＫ以下とする。
【００２９】
過分極13Ｃ−ピルビン酸塩を得るための別の適当な方法は、スピン凍結法である。この方法はスピン凍結分極による固体化合物又は系のスピン分極に及ぶ。系は次数３以上の対称軸を有するＮｉ2+、ランタニド又はアクチニドイオン等の適当な結晶性常磁性材料でドープするか、これらと緊密に混合する。共鳴励起磁場は適用されないので、均一な磁場の必要はなく、装置はＤＮＰに必要なものよりも単純である。プロセスは、磁場の方向に垂直な軸の周りに試料を物理的に回転させることによって行なわれる。この方法の前提条件は、常磁性種が高度に異方性のｇ−ファクターを有することである。試料回転の結果として、電子常磁性共鳴が核スピンと接触させられ、核スピン温度の低下をもたらす。試料回転は、核スピン分極が新たな平衡に達するまで行なわれる。
【００３０】
好ましい実施形態では、過分極13Ｃ−ピルビン酸塩を得るために動的核分極（ＤＮＰ）が用いられる。ＤＮＰにおいては、分極すべき化合物中のＭＲ活性核の分極は、分極剤又はいわゆるＤＮＰ剤、不対電子を含む化合物によって影響される。ＤＮＰプロセスの間、通常はマイクロ波照射の形のエネルギーが供給され、最初はこれがＤＮＰ剤を励起することになる。基底状態への減衰の際に、ＤＮＰ剤の不対電子から分極すべき化合物のＮＭＲ活性核への、例えば13Ｃ−ピルビン酸塩の13Ｃ核への分極の転移がある。一般にＤＮＰプロセスにおいては、例えばＤＮＰプロセスを液体ヘリウム中、約１Ｔ以上の磁場で実施することによって、中程度の又は高い磁場と極めて低い温度が用いられる。或いは、中程度の磁場と充分な分極促進が達成される任意の温度を利用してもよい。ＤＮＰ手法は例えば国際公開第９８／５８２７２号及び同第０１／９６８９５号にさらに記載されており、それらの開示内容は援用によって本明細書の内容の一部をなす。
【００３１】
化合物をＤＮＰ法によって分極するためには、分極すべき化合物とＤＮＰ剤との混合物を調製し（「試料」）、これを次に凍結して分極のためのＤＮＰポーラライザーに挿入する。分極の後、凍結された固体過分極試料を、それを融解するか若しくはそれを適当な溶解媒体に溶解することによって迅速に液体状態に移す。溶解が好ましく、そのための凍結過分極試料の溶解プロセス及び適当なデバイスは、国際公開第０２／３７１３２号に詳細に記載されている。融解プロセス及び融解のための適当なデバイスは、例えば国際公開第０２／３６００５号に記載されている。
【００３２】
分極すべき化合物において高い分極レベルを得るためには、前記化合物とＤＮＰ剤とはＤＮＰプロセスの間、緊密に接触している必要がある。凍結又は冷却される際に試料が結晶化する場合にはそうではない。結晶化を避けるためには、試料中にガラス形成剤が存在している必要があるか、若しくは凍結される際に結晶化せず、むしろガラスを形成する化合物を分極に選択する必要がある。
【００３３】
前に述べたように、13Ｃ−ピルビン酸又は13Ｃ−ピルビン酸塩は過分極13Ｃ−ピルビン酸塩を得るための適切な出発原料である。
【００３４】
同位体濃縮された13Ｃ−ピルビン酸塩は例えば13Ｃ−ピルビン酸ナトリウムとして市販されている。或いは、これはＳ．Ａｎｋｅｒ，Ｊ．Ｂｉｏｌ．Ｃｈｅｍ  １７６，１９４８，１３３―１３３５に記載されているように合成してもよい。
【００３５】
13Ｃ1−ピルビン酸の合成のためのいくつかの方法が当技術分野で知られている。簡潔には、Ｓｅｅｂａｃｈ  ｅｔ  ａｌ．，Ｊｏｕｒｎａｌ  ｏｆ  Ｏｒｇａｎｉｃ  Ｃｈｅｍｉｓｔｒｙ，４０（２），１９７５、２３１―２３７に、Ｓ，Ｓ−アセタールとしてのカルボニル含有出発原料、例えば１，３−ジチアン又は２−メチル−１，３−ジチアンの保護及び活性化を利用する合成経路が記載されている。ジチアンは金属化され、メチル含有化合物及び／又は13ＣＯ2と反応する。この参考文献に概要が記されている適当な同位体濃縮13Ｃ−成分を用いることによって、13Ｃ1−ピルビン酸塩、13Ｃ2−ピルビン酸塩又は13Ｃ1,2−ピルビン酸塩を得ることが可能である。続いてカルボニル官能基が文献に記載された従来の方法を用いることによって遊離される。別の合成経路は酢酸から出発し、これは最初に臭化アセチルに変換され、次いでＣｕ13ＣＮと反応する。得られたニトリルはアミドを経由してピルビン酸に変換される（例えばＳ．Ｈ．Ａｎｋｅｒ  ｅｔ  ａｌ．，Ｊ．Ｂｉｏｌ．Ｃｈｅｍ．１７６（１９４８），１３３３又はＪ．Ｅ．Ｔｈｉｒｋｅｔｔｌｅ，Ｃｈｅｍ  Ｃｏｍｍｕｎ．（１９９７），１０２５を参照されたい）。さらに、13Ｃ−ピルビン酸は、市販の13Ｃ−ピルビン酸ナトリウムを例えば米国特許第６２３２４９７号に記載された方法又は国際公開第２００６／０３８８１１に記載された方法によってプロトン化することによって得てもよい。
【００３６】
ＤＮＰによる13Ｃ−ピルビン酸の過分極は、参照により本明細書に組み込まれる国際公開第２００６／０１１８０９号に詳しく記載されている。簡潔には、13Ｃ−ピルビン酸は凍結された際にガラスを形成するので、ＤＮＰに直接用い得る。ＤＮＰの後、凍結過分極13Ｃ−ピルビン酸は溶解して中和する、即ち13Ｃ−ピルビン酸塩に変換する必要がある。変換のためには強塩基が必要である。さらに、13Ｃ−ピルビン酸は強酸であるので、ＤＮＰ剤はこの強酸の中で安定であるものを選ぶ必要がある。好ましい塩基は水酸化ナトリウムであり、水酸化ナトリウムによる過分極13Ｃ−ピルビン酸の変換によって過分極13Ｃ−ピルビン酸ナトリウムが得られる。これはインビボＭＲ造影、分光法、及び／又は分光造影、即ち生きたヒト又はヒト以外の動物について実施されるＭＲ造影、分光法、及び／又は分光造影のために用いられる造影媒体のための好ましい13Ｃ−ピルビン酸塩である。
【００３７】
或いは、13Ｃ−ピルビン酸塩、即ち13Ｃ−ピルビン酸の塩をＤＮＰに用いることができる。参照により本明細書に組み込まれる国際公開第２００７／１１１５１５号に詳しく記載されているように、好ましい塩はＮＨ4+、Ｋ+、Ｒｂ+、Ｃｓ+、Ｃａ2+、Ｓｒ2+及びＢａ2+、好ましくはＮＨ4+、Ｋ+、Ｒｂ+又はＣｓ+、より好ましくはＫ+、Ｒｂ+、Ｃｓ+、最も好ましくはＣｓ+からなる群からの無機カチオンを含む13Ｃ−ピルビン酸塩である。これらの好ましい13Ｃ−ピルビン酸塩の合成も、国際公開第２００７／１１１５１５号に開示されている。過分極13Ｃ−ピルビン酸塩をインビボＭＲ造影及び／又は分光法のための造影媒体において用いる場合には、ＮＨ4+、Ｋ+、Ｒｂ+、Ｃｓ+、Ｃａ2+、Ｓｒ2+及びＢａ2+からなる群からの無機カチオンを、Ｎａ+又はメグルミン等の生理学的に極めてよく認容可能なカチオンに交換することが好ましい。これは、カチオン交換カラムの使用等の当技術で知られた方法によって行なってよい。
【００３８】
参照により本明細書に組み込まれる国際公開第２００７／０６９９０９号に詳しく記載されているように、さらに好ましい塩は有機アミン又はアミノ化合物の13Ｃ−ピルビン酸塩、好ましくはＴＲＩＳ−13Ｃ1−ピルビン酸塩又はメグルミン−13Ｃ1−ピルビン酸塩である。これらの好ましい13Ｃ−ピルビン酸塩の合成も、国際公開第２００７／０６９９０９号に記載されている。
【００３９】
本発明の方法で用いる過分極13Ｃ−ピルビン酸塩がＤＮＰによって得られる場合には、13Ｃ−ピルビン酸又は13Ｃ−ピルビン酸塩及びＤＮＰ剤を含む分極すべき試料は、常磁性金属イオンをさらに含んでもよい。参照により本明細書に組み込まれる国際公開第２００７／０６４２２６号に詳しく記載されているように、ＤＮＰによって分極すべき組成物中の常磁性金属イオンの存在によって13Ｃ−ピルビン酸／13Ｃ−ピルビン酸塩における分極レベルが増大することが見出された。
【００４０】
前に述べたように、本発明の方法による造影媒体は、インビボＭＲ造影、分光法、及び／又は分光造影、即ち生きたヒト又はヒト以外の動物について実施されるＭＲ造影、分光法及び／又は分光造影のための造影媒体として用いられ得る。そのような造影媒体は、好ましくは13Ｃ−ピルビン酸塩等のＭＲ活性剤13Ｃ−物質に加えて水性担体、好ましくは水／生理食塩液、緩衝液又は緩衝液の混合物等の生理学的に認容可能で、薬学的に許容される水性担体を含む。造影媒体は従来の薬学的に許容される担体、添加剤及び配合助剤をさらに含んでもよい。したがって、造影媒体は例えば安定剤、浸透圧調整剤、可溶化剤等、例えばヒト医学又は獣医学における診断用組成物のための従来のもの等の配合助剤を含んでよい。
【００４１】
さらに、本発明の方法による造影媒体は、インビトロＭＲ造影、分光法、及び／又は分光造影のため、例えば細胞培養物又はエクスビボ組織において炎症又は感染を検出するための造影媒体として用い得る。そのような造影媒体は、好ましくは13Ｃ−ピルビン酸塩等のＭＲ活性剤13Ｃ−物質に加えてインビトロ細胞又は組織アッセイに適合して用いられる溶媒、例えばＤＭＳＯ若しくはメタノール又は水性担体及び非水性溶媒を含む溶媒混合物、例えばＤＭＳＯと水若しくは緩衝溶液又はメタノールと水若しくは緩衝溶液の混合物を含む。当業者には明らかなように、薬学的に許容される担体、添加剤及び配合助剤はそのような造影媒体中に存在してもよいが、そのような目的のために要求されてはいない。
【００４２】
過分極13Ｃ−ピルビン酸塩を例えば細胞培養物又はエクスビボ組織を用いたＭＲ造影又は分光法のインビトロ方法で感染の検出のための造影剤として用いる場合には、細胞培養物又はエクスビボ組織に添加する過分極13Ｃ−ピルビン酸塩を含む造影媒体は13Ｃ−ピルビン酸塩が１０ｍＭ〜１００ｍＭ、より好ましくは２０ｍＭ〜９０ｍＭ、最も好ましくは13Ｃ−ピルビン酸塩が４０〜８０ｍＭである。
【００４３】
さらに、本発明の方法によって検出される炎症及び感染疾患の種類は様々であり得る。本方法は免疫系が活性化されているか変化している疾患の範囲を検出するために用い得る。これらの疾患は皮膚及び骨格系、消化系、筋肉系、リンパ系、内分泌系、神経系、心臓血管系、男性又は女性生殖系、及び泌尿器系等のいかなる体組織にも影響し得る。本方法は身体のいかなる部分に対する自己免疫疾患をも検出し得る。自己免疫成分を含む臨床疾患の非包括的なリストとしては、関節リウマチ、若年性特発性関節炎、全身性紅斑性狼瘡、強皮症、皮膚筋炎、心筋症、クローン病及び多発性硬化症が挙げられる。この方法は外傷後の治癒に対する炎症反応を検出するために用い得る。この方法はアテローム性動脈硬化症、変形性関節症、腱炎、滑液包炎、痛風性関節炎、ＣＯＰＤ、喘息、及び慢性気管支炎等の炎症成分を有する慢性疾患を検出するために用い得る。この方法は皮膚、四肢、筋肉、結合組織、骨、関節、神経系、並びに頭部、頚部、胸部、及び腹部の内部器官を含む身体のいかなる部分の感染（例えば細菌、ウイルス、真菌、寄生虫、又は他の感染源）に対する反応における炎症をも検出し得る。炎症は移植において大きな役割を果たす。本方法は、固形臓器の急性及び慢性移植拒絶、移植後リンパ増殖性疾患及びグラフト対宿主疾患等の、移植の設定における免疫系の変化を検出し得る。
【００４４】
本発明の方法は上述のこれらの種類の条件全ての検出を含む。好ましい実施形態は関節炎、より好ましくは関節リウマチを検出するための13Ｃ−ＭＲ造影、13Ｃ−ＭＲ分光法、及び／又は13Ｃ−ＭＲ分光造影の方法であり、過分極13Ｃ−物質、好ましくは過分極13Ｃ−ピルビン酸塩を含む造影媒体が用いられる。
【００４５】
別の実施形態では、造影媒体は乳酸塩をさらに含む。したがって、本発明の方法による造影媒体は過分極13Ｃ−ピルビン酸塩に加えて非過分極乳酸塩（以下、乳酸塩という）を含む。適切には、乳酸塩は乳酸又は乳酸の塩、好ましくは乳酸リチウム又は乳酸ナトリウム、最も好ましくは乳酸ナトリウムの形で添加される。乳酸塩及び過分極13Ｃ−ピルビン酸塩を含む造影媒体及びそれらを用いるための方法は、参照により本明細書に組み込まれるＷＯ２００８／０２０７６５にさらに記載されている。
【００４６】
炎症及び感染は、本発明の方法により、13Ｃ−ピルビン酸塩の信号及びその代謝産物である13Ｃ−乳酸塩の信号を経時的に追跡することによって検出することができる。生存できる、例えば非炎症性の細胞において、13Ｃ−ピルビン酸塩の信号は経時的に減衰する。13Ｃ−乳酸塩の信号は13Ｃ−ピルビン酸塩の13Ｃ−乳酸塩への代謝変換によって最初増加し、次いで主として緩和のためにゆっくりと減少する。炎症領域においてはピルビン酸塩の代謝は上方調節されており、13Ｃ−ピルビン酸塩の13Ｃ−乳酸塩への変換は増加する。過分極13Ｃ−ピルビン酸塩を含む造影媒体を用いて、13Ｃ−ＭＲ検出によって検出することができる13Ｃ−乳酸塩の産生の増加によってこの亢進した代謝活性を見ることができる。
【００４７】
乳酸塩（本発明による造影媒体中に存在していようと、又は個別に添加／投与されようと）の添加によって、観察し得る13Ｃ−乳酸塩の量の増加及びそれによる13Ｃ−乳酸塩からのＭＲ信号の増大がもたらされることがさらに見出された。
【００４８】
用語「13Ｃ−ＭＲ検出」は、13Ｃ−ＭＲ造影若しくは13Ｃ−ＭＲ分光法又は13Ｃ−ＭＲ造影と13Ｃ−ＭＲ分光法の組み合わせ、即ち13Ｃ−ＭＲ分光造影を意味する。この用語はさらに、種々の時点における13Ｃ−ＭＲ分光造影を意味する。
【００４９】
周波数と空間的に選択的な方法を組み合わせて関心体積をエンコードするＭＲ造影シーケンスが適用され、13Ｃ−ピルビン酸塩の13Ｃ−ＭＲ信号が造影剤の添加（ｔ＝０）から約１分間又はＴ１緩和を経由する信号の減衰によって13Ｃ−ＭＲ信号が検出不能になるまでの時間にわたってＭＲ造影又は分光造影によって追跡される。同じ時間の間、13Ｃ−乳酸塩の信号の出現、増加及び／又は減少が監視される。定量的評価を得るため、健常な細胞又は組織のＭＲ造影、分光法、又は分光造影を行なってもよく、その結果（即ち所与の時間の間に形成された13Ｃ−乳酸塩の量又は速度）を比較することができる。
【００５０】
過分極13Ｃ−ピルビン酸塩を例えば生きたヒト又はヒト以外の動物の身体におけるＭＲ造影、分光法又は分光造影のインビボ法において炎症又は感染の検出のための造影剤として用いる場合には、過分極13Ｃ−ピルビン酸塩を含む造影媒体は、好ましくは前記生体に非経口的に、好ましくは静脈内に投与される。一般的には、検査される生体はＭＲ磁石の中に置かれる。専用の13Ｃ−ＭＲ  ＲＦコイルが関心領域をカバーするように置かれる。造影媒体の用量及び濃度は、毒性及び投与経路等の要素の範囲に依存することになる。一般的には、造影媒体は体重ｋｇあたり１ｍｍｏｌ13Ｃ−ピルビン酸塩まで、好ましくは０．０１〜０．５ｍｍｏｌ／ｋｇ、より好ましくは０．１〜０．３ｍｍｏｌ／ｋｇの濃度で投与される。投与速度は好ましくは１０ｍｌ／ｓ未満、より好ましくは６ｍｌ／ｓ未満、最も好ましくは５ｍｌ／ｓ〜０．１ｍｌ／ｓである。投与後４００ｓ未満、好ましくは１２０ｓ未満、より好ましくは投与後６０ｓ未満、特に好ましくは２０〜５０ｓで、周波数と空間的に選択的な方法を組み合わせて関心体積をエンコードするＭＲ造影シーケンスが適用される。これにより13Ｃ−ピルビン酸塩、13Ｃ−乳酸塩及び／又は他の13Ｃ−標識代謝生成物の代謝画像がもたらされることになる。ＭＲシーケンスを適用する正確な時間は、感染又は炎症を検出する関心体積に高度に依存する。
【００５１】
関心体積のエンコーディングは、これだけに限らないが、例えばＴ．Ｒ．Ｂｒｏｗｎ  ｅｔ  ａｌ．，Ｐｒｏｃ  Ｎａｔｌ  Ａｃａｄ  Ｓｃｉ  ＵＳＡ  ７９、３５２３−３５２６（１９８２）；Ａ．Ａ．Ｍａｕｄｓｌｅｙ  ｅｔ  ａｌ．，Ｊ  Ｍａｇｎ  Ｒｅｓ  ５１，１４７−１５２（１９８３）；Ｄ．Ｍａｙｅｒ  ｅｔ  ａｌ．，Ｍａｇｎ  Ｒｅｓｏｎ  Ｍｅｄ  ５６，９３２−９３７（２００６）；Ｓ．Ｊ．Ｋｏｈｌｅｒ  ｅｔ  ａｌ．，Ｍａｇｎ  Ｒｅｓｏｎ  Ｍｅｄ  ５８（１），６５−９（２００７）；Ｙ−Ｆ．Ｙｅｎ  ｅｔ  ａｌ．，Ｍａｇｎ  Ｒｅｓｏｎ  Ｍｅｄ（Ｅｐｕｂ  ａｈｅａｄ  ｏｆ  ｐｒｉｎｔ）Ｍａｒ  ２４（２００９）に記載されているもの等のいわゆる分光造影シーケンスを用いることによって達成することができる。分光画像データには、その中の各要素が完全な13Ｃ−ＭＲスペクトルを含むいくつかの体積要素が含まれる。13Ｃ−ピルビン酸塩及びその代謝物である13Ｃ−乳酸塩は13Ｃ−ＭＲスペクトルにおいて独特の位置を有しており、それらの共鳴周波数はそれらを同定するために用いることができる。その共鳴周波数におけるスペクトルピークの積分は、それぞれ13Ｃ−ピルビン酸塩及び13Ｃ−乳酸塩の量に直接関連する。13Ｃ−ピルビン酸塩及び13Ｃ−乳酸塩の量が例えばＬ．Ｖａｎｈａｍｍｅ  ｅｔ  ａｌ．，Ｊ  Ｍａｇｎ  Ｒｅｓｏｎ  １２９，３５−４３（１９９７）に記載されているようなスペクトルピーク積分解析若しくは時間領域近似ルーチン又は例えばＳ．Ｂ．Ｒｅｅｄｅｒ  ｅｔ  ａｌ．，Ｊ  Ｍａｇｎ  Ｒｅｓｏｎ  Ｉｍａｇｉｎｇ  ２６，１１４５−１１５２（２００７）及びＹ．Ｓ．Ｌｅｖｉｎ  ｅｔ  ａｌ．，Ｍａｇｎ  Ｒｅｓｏｎ  Ｍｅｄ  ５８（２），２４５−５２（２００７）に記載されているような最小二乗化学シフト分離法を用いて推定される場合には、13Ｃ−ピルビン酸塩及び13Ｃ−乳酸塩の画像を生成し、その中のカラーコーディング又はグレイコーディングによって13Ｃ−ピルビン酸塩及び13Ｃ−乳酸塩の測定された量を表わすことができる。
【００５２】
分光造影法は全種類のＭＲ核、例えば1Ｈ、31Ｐ、23Ｎａを用いる代謝画像を生成することにおいてその価値を証明してきたが、分光画像を完全にエンコードするために必要な繰り返しの量が多いので、このアプローチは過分極13Ｃにはあまり適しないものになっている。全体のＭＲデータ取得の間、過分極13Ｃ−信号が利用可能であることを確実にするよう、注意を払わなくてはならない。これは、例えばＬ．Ｚｈａｏ  ｅｔ  ａｌ．，Ｊ  Ｍａｇｎ  Ｒｅｓｏｎ，Ｂ（１１３），１７９−１８３（１９９６）に記載されているようにＲＦ−パルス励起フリップ角を低減するか、若しくは変動フリップ角を適用することによって、又は例えばＰ．Ｅ．Ｚ．Ｌａｒｓｏｎ  ｅｔ  ａｌ．，Ｊ  Ｍａｇｎ  Ｒｅｓｏｎ  １９４：１２１−１２７（２００８）に記載されているように全フェーズエンコーディングステップにおいて適用されるマルチバンドＲＦ励起デザインによって、達成することができる。マトリックスサイズが大きくなると、フェーズエンコーディングステップを多くし、走査時間を長くする必要がある。
【００５３】
Ｐ．Ｃ．Ｌａｕｔｅｒｂｕｒ（Ｎａｔｕｒｅ，２４２，１９０−１９１，（１９７３）及びＰ．Ｍａｎｓｆｉｅｌｄ（Ｊ．Ｐｈｙｓ．Ｃ．６，Ｌ４２２−Ｌ４２６（１９７３））の先駆的な研究に基づく造影方法はデータ取得の間、読み出し勾配を適用するものであるが、これにより高い信号雑音比の画像、又はこれと等価の高い空間分解能の画像が可能になるであろう。しかし、その基本形におけるこれらの造影方法は13Ｃ−ピルビン酸塩と13Ｃ−乳酸塩についての個別の画像を生成することはできず、即ち特定の代謝産物の同定は可能でない。
【００５４】
別の実施形態では、周波数情報をコードするためにマルチエコーを用いることになる造影シーケンスが用いられる。水と脂肪の1Ｈ−画像を個別に生成することができるシーケンスは、例えばＧ．Ｇｌｏｖｅｒ，Ｊ  Ｍａｇｎ  Ｒｅｓｏｎ  Ｉｍａｇｉｎｇ１，５２１−５３０（１９９１）及びＳ．Ｂ．Ｒｅｅｄｅｒ  ｅｔ  ａｌ．，Ｍａｇｎ  Ｒｅｓｏｎ  Ｍｅｄ  ５１，３５−４５（２００４）に記載されている。検出すべき代謝産物、したがってそのＭＲ周波数は知られているので、上の参考文献で議論されたアプローチは13Ｃ−ピルビン酸塩及び13Ｃ−乳酸塩の直接の画像を取得するために適用することができる。この手順により過分極13Ｃ−ＭＲ信号の使用がより効率的になり、分光造影に比べてより良い信号品質、より高い空間分解能及びより早い取得時間が得られる。
【００５５】
好ましい実施形態では、本発明による方法には、過分極13Ｃ−ピルビン酸塩を含む造影媒体を予め投与したヒト又はヒト以外の動物の身体から、又は造影媒体を添加した細胞培養物又はエクスビボ組織から、直接の13Ｃ−ＭＲ画像又は13Ｃ−ピルビン酸塩及び13Ｃ−乳酸塩のスペクトルを取得するステップが含まれる。開示した方法では、感染又は炎症は13Ｃ−乳酸塩からの高い13Ｃ−信号強度又は13Ｃ−乳酸塩の生成速度の増大によって同定及び検出される。本発明による過分極13Ｃ−ピルビン酸塩造影は、炎症及び感染において乳酸への代謝が増大していることを示す。
【００５６】
ピルビン酸塩の信号を補正するために、乳酸塩及びピルビン酸塩の画像を各個別の画像における最大値に正規化してもよい。次に、正規化された乳酸塩の画像にピルビン酸塩の画像の逆数、例えば画像中の最大のピルビン酸塩の信号からピクセル毎のピルビン酸塩レベルを差し引いたものを乗じる。最後のステップとして、上の操作で得られた中間結果に元の乳酸塩の画像を乗じる。或いは、それぞれの画像の各ピクセル中のピルビン酸塩及び乳酸塩のピーク強度をピルビン酸塩と乳酸塩との間の13Ｃ−ラベルのフラックスの動態モデルに合致させて、ラベルフラックス及びスピン格子緩和時間の速度定数を得ることができる。分極の喪失に対するマルチプルＲＦパルスの影響について補正を行なう必要があろう。
【００５７】
本方法をインビボの炎症又は感染の検出のために用いる場合には、本発明の方法による炎症又は感染の検出において解剖学的及び／又は潅流情報が含まれてもよい。解剖学的情報は、例えば適当な造影剤を用いて、又は用いずにプロトンＭＲ画像を取得することによって得られる。相対的な潅流は例えばＯｍｎｉｓｃａｎ（商標）のようなＭＲ造影剤を用いることによって決定することができる。同様に、造影剤を投与しない潅流測定のためのＭＲ造影手法は当技術分野で知られている。好ましい実施形態では、定量的潅流を決定するために非代謝過分極13Ｃ−造影剤を用いる。適切な手法及び造影剤は例えば国際公開第０２／２３２０９号に記載されている。より好ましい実施形態では、定量的潅流を決定するために過分極13Ｃ−ピルビン酸塩が用いられる。
【００５８】
別の好ましい実施形態では、過分極13Ｃ−ピルビン酸塩を含む造影媒体は繰り返し投与され、それにより長期的研究が可能になる。ピルビン酸塩の毒性が低いこととその好ましい安全性プロファイルにより、この化合物の繰り返し用量は患者によく認容される。
【００５９】
本発明の方法で得られる結果は、例えば医師が検討中の患者に対する適切な処置を選択することを可能にする。さらなる好ましい実施形態では、本発明の方法は処置が成功したかどうかを決定するために用いられる。
【００６０】
さらなる態様から見れば、本発明は炎症又は感染を検出するための13Ｃ−ＭＲ造影、13Ｃ−ＭＲ分光法及び／又は13Ｃ−ＭＲ分光造影の方法における使用のための造影媒体の製造のための過分極13Ｃ−物質の使用を提供する。より好ましくは、本発明は炎症又は感染を検出するための13Ｃ−ＭＲ造影、13Ｃ−ＭＲ分光法及び／又は13Ｃ−ＭＲ分光造影の方法における使用のための造影媒体の製造のための過分極13Ｃ−ピルビン酸塩の使用を提供する。好ましくは、造影媒体の製造のために用いられる過分極13Ｃ−ピルビン酸塩は、13Ｃ−ピルビン酸又は13Ｃ−ピルビン酸塩の動的核分極によって得られる。任意選択で、造影媒体の製造のために乳酸塩を13Ｃ−物質に添加してもよい。
【００６１】
13Ｃ−ピルビン酸又は13Ｃ−ピルビン酸塩からの過分極13Ｃ−ピルビン酸塩の製造及び製造の好ましい実施形態、並びに過分極13Ｃ及び任意選択で乳酸塩を含む造影媒体の製造については、本出願の６〜１０頁に詳しく記載されている。
【００６２】
好ましい実施形態では、本発明は造影媒体を予め投与したヒト又はヒト以外の動物の身体から、又は造影媒体を添加した細胞培養物又はエクスビボ組織から、直接の13Ｃ−画像及び／又は13Ｃ−ピルビン酸塩及び13Ｃ−乳酸塩の13Ｃ−スペクトルを取得することによって炎症又は感染を検出するための13Ｃ−ＭＲ造影、13Ｃ−ＭＲ分光法及び／又は13Ｃ−ＭＲ分光造影の方法における使用のための造影媒体の製造のための過分極13Ｃ−ピルビン酸塩及び任意選択による乳酸塩の使用を提供する。
【００６３】
別の好ましい実施形態では、本発明はヒト又はヒト以外の動物の身体において炎症又は感染を検出するための13Ｃ−ＭＲ造影、13Ｃ−ＭＲ分光法及び／又は13Ｃ−ＭＲ分光造影の方法における過分極13Ｃ−物質を含む造影媒体の使用を提供する。造影媒体は好ましくは、ヒト又はヒト以外の動物の身体に予め投与されている。
【図面の簡単な説明】
【００６４】
【図１】関節炎の関節の代謝マップを示す図である。過分極［１−13Ｃ］ピルビン酸塩を注射した２０秒後に、マップは関節炎の足において乳酸塩の産生が亢進していることを示している。Ａ：Ｔ２重み付け解剖学的画像は、関節炎の右後足（矢印）において正常な左足に比べて組織が腫脹していることを示しており、次の代謝マップ上では尾（Ｔ）及び非分極13Ｃ−乳酸塩（Ｌ）の参照チューブに重ねられている。マップはＢ：［１−13Ｃ］ピルビン酸塩、Ｃ：［１−13Ｃ］乳酸塩、及びＤ：［１−13Ｃ］乳酸塩／［１−13Ｃ］ピルビン酸塩の比を示している。
【図２】１匹のラットの関節炎の足（青）における［１−13Ｃ］乳酸塩の産生の亢進を正常な足（右）及び尾（緑）と比較した時間分解造影を示す図である。
【実施例】
【００６５】
実施例１：関節炎の検出
６匹の幼若Ｓｐｒａｇｕｅ  Ｄａｗｌｅｙラット（４〜５週齢、平均体重１１４ｇ）に０．４μＬ／ｇの完全フロイントアジュバントを注射（ラット３匹には右膝、ラット３匹には右足首）することによって関節炎を誘導した。誘導の７日後に、励起及び信号受容の両方のために自己遮蔽グラジエント（４０ｍＴ／ｍ、１５０ｍＴ／ｍ／ｍｓ）及び特注のデュアルチューン（1Ｈ／13Ｃ）直角位相コイル（φ＝８０ｍｍ）を備えたＧＥ  ３Ｔ  スキャナーにより、13Ｃ  ＭＲＳによって関節炎の関節を造影した。13Ｃ−１−ピルビン酸塩の１００ｍＭ溶液０．５ｍＬをＤＮＰ（１５〜２０％液体状態分極）によって過分極し、尾静脈から注射した。注射の２０秒後に、ＦＩＤ  ＣＳＩシーケンス（ボクセル＝２．５×２．５×１０ｍｍ、ＦＯＶ＝４×４ｃｍ）によって13Ｃ−１ピルビン酸塩及びその代謝産物の単一時点ＭＲＳ解析を得た。２回目の過分極13Ｃ−ピルビン酸塩の注射の間、１Ｄ  ＥＰＳＩシーケンスによって時間分解造影を得た。関節におけるＲＯＩ解析によってピルビン酸塩及び乳酸塩の平均信号強度を得て、正常及び関節炎の関節をＴ検定によって比較した。
【００６６】
関節炎の関節は紅斑があり、腫脹していて（平均±ＳＤ＝０．５±０．２ｍｍ厚みが大きい）、組織学的スコアは炎症について３／４（正常関節の０／４と比較）を有し、解剖学的ＭＲ画像において炎症のＴ２重み付け変化を示した。［１−13Ｃ］ピルビン酸塩及び代謝された［１−13Ｃ］乳酸塩は、ＦＩＤ  ＣＳＩ画像（図１Ａ、Ｂ）上で、関節炎の関節において増加しているように思われ、関節における代謝産物の全13Ｃに対する比のＲＯＩ解析によって有意差を有する傾向があった［関節炎のピルビン酸塩＝０．３４対正常＝０．２８、ｐ＜０．１７；関節炎の乳酸塩＝０．２１対正常＝０．１６、ｐ＜０．１２］。炎症組織における血流の増大が造影剤の送達の増大の原因かも知れないが、時間分解造影（図２）によって、また乳酸塩の全13Ｃに対する比（関節炎＝０．６２対正常＝０．５６、ｐ＜０．０３）によって示されるように、乳酸塩への変換速度も関節炎の関節において増大していた。
【００６７】
したがって、これらの結果によれば、過分極［１−13Ｃ］ピルビン酸塩造影は、関節炎に罹患した関節における乳酸塩への代謝の亢進を示す。乳酸塩産生の亢進は、関節炎の活動度のマーカーとして役立つであろう。
【符号の説明】
【００６８】
Ａ  Ｔ２重み付け解剖学的画像
Ｂ  ［１−13Ｃ］ピルビン酸塩
Ｃ  ［１−13Ｃ］乳酸塩
Ｄ  ［１−13Ｃ］乳酸塩／［１−13Ｃ］ピルビン酸塩の比
Ｌ  非分極13Ｃ−乳酸塩
Ｔ  尾
【図１】
0005868311.tif 000002
【図２】
0005868311.tif 000003